【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
ローン元金のうち所望の割合または金額のいずれかを想定元本とし，前記想定元本に対して，想定元本適用金利と想定元本適用期間とを設定可能な通信端末と，ネットワークを介して接続されたローン適用金利管理サーバであって；
前記ローン元金のうち，前記通信端末からの要求に応じて，前記通信端末により設定された前記想定元本の割合または金額と前記想定元本適用金利と前記想定元本適用期間とを記憶する想定元本記憶部と；
ローン返済期間の一部となる前記記憶された想定元本適用期間においては，前記記憶された想定元本適用金利から求められる前記想定元本のローン利息を，予め定められた金利に基づくローン利息に換えて適用するローン返済額算出部と；
を備えていることを特徴とする，ローン適用金利管理サーバ。
【請求項２】
前記想定元本記憶部は，前記通信端末により設定された一または二以上の前記想定元本の割合と前記想定元本適用金利と前記想定元本適用期間を記憶し，前記ローン返済額算出部は，前記記憶された一または二以上の想定元本の割合と前記想定元本適用金利に応じた想定元本のローン利息を，予め定められた金利に基づくローン利息に換えて適用することを特徴とする，請求項１に記載のローン適用金利管理サーバ。
【請求項３】
前記想定元本記憶部は，前記通信端末により設定された一または二以上の前記想定元本の金額と前記想定元本適用金利と前記想定元本適用期間を記憶し，前記ローン返済額算出部は，前記記憶された一または二以上の想定元本の割合と前記想定元本適用金利に応じた想定元本のローン利息を，予め定められた金利に基づくローン利息に換えて適用することを特徴とする，請求項１に記載のローン適用金利管理サーバ。
【請求項４】
前記ローン元金の金利タイプが変動金利の場合，
前記想定元本記憶部は，前記通信端末により設定された固定金利である想定元本の割合または金額と固定金利の適用期間と適用金利とを記憶し，
ローン返済額算出部は，前記想定元本の割合または金額と固定金利の前記想定元本適用金利とから求められる前記想定元本のローン利息を，予め定められた変動金利の金利に基づくローン利息に換えて適用することを特徴とする，請求項１に記載のローン適用金利管理サーバ。
【請求項５】
固定金利の適用期間中に前記想定元本の割合を削減した場合には，所定の手数料を徴収する手数料設定部をさらに備えることを特徴とする，請求項４に記載のローン適用金利管理サーバ。
【請求項６】
前記ローン元金の金利タイプが固定金利の場合，
前記想定元本記憶部は，前記通信端末により設定された変動金利および／または固定金利である想定元本の割合または金額と想定元本適用期間と当該変動金利および／または固定金利の想定元本適用金利とを記憶し，
前記ローン返済額算出部は，前記想定元本の割合または金額と当該変動金利および／または固定金利の前記想定元本適用金利の金利とから求められる前記想定元本のローン利息を，予め定められた固定金利の金利に基づくローン利息に換えて適用することを特徴とする，請求項１に記載のローン適用金利管理サーバ。
【請求項７】
固定金利の適用期間中に前記ローン元金の金利タイプを変動金利に変更した場合には，所定の手数料を徴収する手数料設定部をさらに備えることを特徴とする，請求項６に記載のローン適用金利管理サーバ。
【請求項８】
固定金利の適用期間中に前記ローン元金の適用金利および／または適用期間を変更した場合には，所定の手数料を徴収する手数料設定部をさらに備えることを特徴とする，請求項６に記載のローン適用金利管理サーバ。
【請求項９】
ローン元金を設定するローン元金設定部と；
前記ローン元金のうち所望の割合または金額のいずれかを想定元本として設定し，前記想定元本に対して，想定元本適用金利と想定元本適用期間とを設定する想定元本割合設定部と，
前記想定元本割合設定部により設定された前記想定元本の割合または金額と前記想定元本適用金利と前記想定元本適用期間とを記憶する想定元本記憶部と；
ローン返済期間の一部となる前記記憶された想定元本適用期間においては，前記記憶された想定元本適用金利から求められる前記想定元本のローン利息を，予め定められた金利に基づくローン利息に換えて適用するローン返済額算出部と；
を備えていることを特徴とする，ローン適用金利管理装置。
【請求項１０】
前記想定元本割合設定部は，前記ローン元金に対する金額の割合である想定元本を一または二以上設定し，
前記想定元本記憶部は，一または二以上の前記想定元本の割合と前記想定元本適用金利と前記想定元本適用期間とを記憶し，
前記ローン返済額算出部は，前記記憶された一または二以上の想定元本の割合と前記想定元本適用金利に応じた想定元本のローン利息を，予め定められた金利に基づくローン利息に換えて適用することを特徴とする，請求項９に記載のローン適用金利管理装置。
【請求項１１】
前記想定元本割合設定部は，前記ローン元金に対する金額である想定元本を一または二以上設定し，
前記想定元本記憶部は，一または二以上の前記想定元本の金額と前記想定元本適用金利と前記想定元本適用期間とを記憶し，
前記ローン返済額算出部は，前記記憶された一または二以上の想定元本の割合と前記想定元本適用金利に応じた想定元本のローン利息を，予め定められた金利に基づくローン利息に換えて適用することを特徴とする，請求項９に記載のローン適用金利管理装置。
【請求項１２】
前記ローン元金の金利タイプが変動金利の場合，
前記想定元本割合設定部は，固定金利である想定元本の割合または金額と固定金利の適用期間と適用金利とを設定し，
前記ローン返済額算出部は，前記想定元本の割合または金額と固定金利の前記想定元本適用金利とから求められる前記想定元本のローン利息を，予め定められた変動金利の金利に基づくローン利息に換えて適用することを特徴とする，請求項９に記載のローン適用金利管理装置。
【請求項１３】
固定金利の適用期間中に前記想定元本の割合を削減した場合には，所定の手数料を徴収する手数料設定部をさらに備えることを特徴とする，請求項１２に記載のローン適用金利管理装置。
【請求項１４】
前記ローン元金の金利タイプが固定金利の場合，
前記想定元本割合設定部は，変動金利および／または固定金利である想定元本の割合または金額と想定元本適用期間と当該変動金利および／または固定金利の想定元本適用金利とを設定し，
前記ローン返済額算出部は，前記想定元本の割合または金額と当該変動金利および／または固定金利の前記想定元本適用金利の金利とから求められる前記想定元本のローン利息を，予め定められた固定金利の金利に基づくローン利息に換えて適用することを特徴とする，請求項９に記載のローン適用金利管理装置。
【請求項１５】
固定金利の適用期間中に前記ローン元金の金利タイプを変動金利に変更した場合には，所定の手数料を徴収する手数料設定部をさらに備えることを特徴とする，請求項１４に記載のローン適用金利管理装置。
【請求項１６】
固定金利の適用期間中に前記ローン元金の適用金利および／または適用期間を変更した場合には，所定の手数料を徴収する手数料設定部をさらに備えることを特徴とする，請求項１４に記載のローン適用金利管理装置。
【請求項１７】
コンピュータをして，
ローン元金を設定するローン元金設定処理と；
前記ローン元金のうち所望の割合または金額のいずれかを想定元本として設定し，前記想定元本に対して，想定元本適用金利と想定元本適用期間とを設定する想定元本割合設定処理と；
前記想定元本割合設定部により設定された前記想定元本の割合または金額と前記想定元本適用金利と前記想定元本適用期間とを記憶する想定元本記憶処理と；
ローン返済期間の一部となる前記記憶された想定元本適用期間においては，前記記憶された想定元本適用金利から求められる前記想定元本のローン利息を，予め定められた金利に基づくローン利息に換えて適用するローン返済額算出処理と；を実行せしめることを特徴とする，コンピュータプログラム。
【請求項１８】
さらに，前記想定元本の金利タイプが固定金利に設定され，固定金利の適用期間中に前記想定元本の割合を削減した場合には，所定の手数料を徴収する手数料設定処理を実行せしめることを特徴とする，請求項１７に記載のコンピュータプログラム。
【請求項１９】
さらに，前記ローン元金の金利タイプが固定金利に設定され，固定金利の適用期間中に前記ローン元金の金利タイプを変動金利にした場合には，所定の手数料を徴収する手数料設定処理を実行せしめることを特徴とする，請求項１７に記載のコンピュータプログラム。
【請求項２０】
さらに，前記ローン元金の金利タイプが固定金利に設定され，固定金利の適用期間中に前記ローン元金の適用金利および／または適用期間を変更した場合には，所定の手数料を徴収する手数料設定処理を実行せしめることを特徴とする，請求項１７に記載のコンピュータプログラム。
【請求項２１】
ローン適用金利管理サーバと，前記ローン適用金利管理サーバにネットワークを介して接続可能な通信端末を有するローン管理システムにおいて：
前記通信端末は，
前記ローン適用金利管理サーバにアクセスして，ローン元金を設定するローン元金設定部と；
前記ローン適用金利管理サーバにアクセスして，前記ローン元金のうち所望の割合または金額のいずれかを想定元本として設定し，前記想定元本に対して，想定元本適用金利と想定元本適用期間とを設定する想定元本割合設定部と；を備え，
前記ローン適用金利管理サーバは，
前記ローン元金のうち，前記通信端末からの要求に応じて，前記通信端末により設定された前記想定元本の割合または金額と前記想定元本適用金利と前記想定元本適用期間とを記憶する想定元本記憶部と；
ローン返済期間の一部となる前記記憶された想定元本適用期間においては，前記記憶された想定元本適用金利から求められる前記想定元本のローン利息を，予め定められた金利に基づくローン利息に換えて適用するローン返済額算出部と；
を備えていることを特徴とする，ローン管理システム。